(57)【特許請求の範囲】
【請求項１】
屋根化粧パネルを取付けるためのパネル受部材と、屋根材に取付ける取付部材とを組み合わせて構成される屋根化粧パネル取付金具において、
上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造であって、且つ、
上記パネル受部材は、その両端面に屋根化粧パネルの上、下折縁を受止固定する受止折曲片を形成しており、上記取付部材と重合する端縁には、上記取付部材の肉厚よりもやや大きいスリット開口を形成し、このスリット開口に上記取付部材の一片が嵌入されて梱包収納状態に折畳可能な構造にして成り、
上記スリット開口には、その一部を狭幅にした抜止部を設け、この抜止部で嵌入された上記取付部材の一片の抜け外れを防止するようにしたことを特徴とする屋根化粧パネル取付金具。
【請求項２】
請求項１において、
上記抜止部は、上記スリット開口の内側に向けて突設された凸部を形成したことを特徴とする屋根化粧パネル取付金具。
【請求項３】
請求項２において、
上記凸部の先端は、半球状に形成したことを特徴とする屋根化粧パネル取付金具。
【請求項４】
請求項１において、
上記抜止部は、上記スリット開口の開放側から閉止側に向けて、徐々に狭くなるテーパー状に上記スリット開口を形成したことを特徴とする屋根化粧パネル取付金具。
【請求項５】
請求項１〜４の何れかにおいて、
上記取付部材は、その連結端の角部に切欠逃し部を形成しており、これによって、上記取付部材と上記パネル受部材とを起立又は折畳可能にしたことを特徴とする屋根化粧パネル取付金具。
【請求項６】
請求項１〜５の何れかにおいて、
上記取付部材又上記パネル受部材のいずれか一方には、それぞれに対する他方の部材を遠ざける位置に移動せるための逃がし孔を、上記軸孔又は長孔に連設しており、これによって、上記取付部材と上記パネル受部材とを起立又は折畳可能にしたことを特徴とする屋根化粧パネル取付金具。
【請求項７】
請求項１〜６の何れかにおいて、
上記パネル受部材には、上記取付部材の連結端の角部を貫通させる切欠逃し溝部を形成しており、これによって、上記取付部材と上記パネル受部材とを起立又は折畳可能にしたことを特徴とする屋根化粧パネル取付金具。
【請求項８】
請求項１〜７の何れかにおいて、
上記長孔の長手方向に沿って、高さ位置が識別可能な目印部を形成したことを特徴とする屋根化粧パネル取付金具。
【発明の詳細な説明】
【０００１】
【発明の属する技術分野】
本発明は、屋根の軒先、ケラバ等に設けられる屋根化粧パネルを取付けるための屋根化粧パネル取付金具に関する。
【０００２】
【従来の技術】
折板屋根などの軒先やケラバには、屋根化粧パネル取付金具によって屋根化粧パネルを取り付けており、この屋根化粧パネル取付金具は、屋根材に固着して取付けられる取付部材と、この取付部材に略直交する方向に固定して連結されたパネル受部材とを組み合わせて構成している。（例えば、特許文献１参照。）。
【０００３】
この屋根化粧パネルを取り付けるためには、例えば、折板屋根などの適所に固定されたボルト等の固定具に、取付部材の取付孔を貫通させ、これにナットを螺合して取付部材を固着すれば、その一端に連結されたパネル受部材も鉛直方向に位置付けされて固定される。
【０００４】
そして、この固定されたパネル受部材に、屋根化粧パネルを被覆して係止させることで、これを取付ける。
【０００５】
【特許文献１】
特開平８−３１９７０７号公報（図１）
【０００６】
【発明が解決しようとする課題】
ところが、例示したものでは、上記取付部材とパネル受部材とが一体形成されているため大型化となってしまい、持ち運びが不便なうえ、輸送コストも増すという問題があった。
【０００７】
そのため、上記パネル受部材と上記取付部材とが施工組立状態に起立し、かつ梱包収納状態では、できる限りコンパクトに収納される折畳可能な構造のものが要望されていた。
【０００８】
また、梱包収納状態に折畳された後は、このパネル部材が輸送中などに不用意に起立されてしまうと、ガタツキを生じ、損傷するという問題があった。
【０００９】
さらに、製造上、特殊な金型を使用したり、或いは、金型の変更等を行うことなく、簡易な改良であることが望ましい。
【００１０】
本発明は、かかる課題を解決することを目的とし、取付部材とパネル受部材とが施工組立状態に起立し、かつ梱包収納状態では、できる限りコンパクトに収納される折畳可能な構造とし、しかも、梱包収納状態に折畳された後は、パネル受部材の不用意な起立を防止できる屋根化粧パネル取付金具を提供する。
【００１１】
【課題を解決するための手段】
上記目的を達成するため、
請求項１に係る屋根化粧パネル取付金具は、屋根化粧パネルを取付けるためのパネル受部材と、屋根材に取付ける取付部材とを組み合わせて構成される屋根化粧パネル取付金具において、上記パネル受部材又は上記取付部材の一方に長孔を形成すると共に、この長孔に重合される軸孔を他方に形成して、上記長孔と軸孔とを連結具で結合し、上記パネル受部材と上記取付部材とは、施工組立状態に起立し、かつ梱包収納状態に折畳可能に連結される構造であって、且つ、上記パネル受部材は、その両端面に屋根化粧パネルの上、下折縁を受止固定する受止折曲片を形成しており、上記取付部材と重合する端縁には、上記取付部材の肉厚よりもやや大きいスリット開口を形成し、このスリット開口に上記取付部材の一片が嵌入されて梱包収納状態に折畳可能な構造にして成り、上記スリット開口には、その一部を狭幅にした抜止部を設け、この抜止部で嵌入された上記取付部材の一片の抜け外れを防止するようにしたことを特徴とする。
【００１２】
このものでは、パネル受部材又は取付部材の一方に長孔を形成すると共に、他方に軸孔を形成し、これらを連結具で結合することで、上記パネル受部材と上記取付部材とを施工組立状態に起立し、かつ梱包収納状態に折畳可能に連結される構造にできる。
【００１３】
また、梱包収納状態では、スリット開口に取付部材の一片が嵌入されて折畳可能な構造にしているので、できる限りコンパクトに収納できる。
【００１４】
さらに、スリット開口には抜止部を設けているので、梱包収納状態に折畳された後は、パネル受部材の不用意な起立を確実に防止できる。
【００１５】
請求項２に係る屋根化粧パネル取付金具は、請求項１において、上記抜止部は、上記スリット開口の内側に向けて突設された凸部を形成したことを特徴とする。
【００１６】
このものでは、スリット開口の内側に向けて突設された凸部を形成して、抜止部を設けているので、抜止部を容易に形成できるうえ、製造上、金型の変更等を行う手間も不要である。
【００１７】
請求項３に係る屋根化粧パネル取付金具は、請求項２において、上記凸部の先端は、半球状に形成したことを特徴とする。
【００１８】
このものでは、請求項２における凸部の先端を半球状に形成しているので、取付部材の一片をスムーズに嵌入できる。
【００１９】
請求項４に係る屋根化粧パネル取付金具は、請求項１において、上記抜止部は、上記スリット開口の開放側から閉止側に向けて、徐々に狭くなるテーパー状に上記スリット開口を形成したことを特徴とする。
【００２０】
このものでは、徐々に狭くなるテーパー状に上記スリット開口を形成して抜止部を構成しているので、取付部材の一片をスムーズに嵌入して、パネル受部材の不用意な起立を確実に防止できる。
【００２１】
請求項５に係る屋根化粧パネル取付金具は、請求項１〜４の何れかにおいて、上記取付部材は、その連結端の角部に切欠逃し部を形成しており、これによって、上記取付部材と上記パネル受部材とを起立又は折畳可能にしたことを特徴とする。
【００２２】
このものでは、取付部材に切欠逃し部を形成して、パネル受部材と取付部材を起立又は折畳可能な構造にすることによって、パネル受部材と取付部材を起立又は折畳可能にできる。
【００２３】
請求項６に係る屋根化粧パネル取付金具は、請求項１〜５の何れかにおいて、上記取付部材又上記パネル受部材のいずれか一方には、それぞれに対する他方の部材を遠ざける位置に移動せるための逃がし孔を、上記軸孔又は長孔に連設しており、これによって、上記取付部材と上記パネル受部材とを起立又は折畳可能にしたことを特徴とする。
【００２４】
このものでは、軸孔又は長孔に連設される逃がし孔を形成して、取付部材とパネル受部材とを遠ざける位置に移動可能な構造にしており、このような構造にすることによってパネル受部材と取付部材を起立又は折畳可能にできる。
【００２５】
請求項７に係る屋根化粧パネル取付金具は、請求項１〜６の何れかにおいて、上記パネル受部材には、上記取付部材の連結端の角部を貫通させる切欠逃し溝部を形成しており、これによって、上記取付部材と上記パネル受部材とを起立又は折畳可能にしたことを特徴とする。
【００２６】
このものでは、取付部材の連結端の角部が、パネル受部材の切欠逃し溝部を貫通する構造にすることによって、パネル受部材と取付部材を起立又は折畳可能にできる。
【００２７】
請求項８に係る屋根化粧パネル取付金具は、請求項１〜７の何れかにおいて、上記長孔の長手方向に沿って、高さ位置が識別可能な目印部を形成したことを特徴とする。
【００２８】
このものでは、目印部を形成することで、例えば、施工組立状態に起立された上記パネル受部材の高さ位置を、容易に識別できる。
【００２９】
【発明の実施の形態】
以下、本発明に係る屋根化粧パネル取付金具を図面に基づき説明する。
【００３０】
図１は、本発明に係る屋根化粧パネル取付金具Ａの一実施例を示す使用状態図、図２は、本発明に係る屋根化粧パネル取付金具Ａの一実施例を示す分解斜視図、図３は、図２の折畳状態を示す斜視図である。
【００３１】
この屋根化粧パネル取付金具Ａは、屋根化粧パネルＰを取付けるためのパネル受部材１と、このパネル受部材１を屋根材Ｙに固定するための取付部材２とを、ボルト、ナットによる連結具３で連結している。
【００３２】
屋根化粧パネルＰは、従来同様、金属板、合成樹脂板等で形成されており、その上、下端には、パネル受部材１に係止される上、下折縁Ｐ１を形成している。
【００３３】
パネル受部材１は、屋根化粧パネルＰに応じて、これを取付可能な形状であれば良いが、本実施例では、屋根化粧パネルＰの上、下折縁Ｐ１を係止するために、両端面に屋根化粧パネルＰの上、下折縁Ｐ１を受止固定する受止折曲片１１が形成されたアングル材を例示している。
【００３４】
また、パネル受部材１の側面には、長手方向に向けて片部１２を形成しており、この片部１２には、取付け高さを調節するための長孔１３を、略中央から一端側に向けて形成している。
【００３５】
さらに、パネル受部材１の連結端、すなわち、長孔１３が形成された一端側の受止折曲片１１と、片部１２との間には、取付部材２の肉厚よりもやや大きいスリット開口１４を形成している。
【００３６】
このスリット開口１４には、その一部を狭幅に形成した抜止部５を設けている。
【００３７】
図２では、スリット開口１４の一部に、内側に向けて突設された凸部５１を形成して、スリット開口１４の一部を狭幅に形成した抜止部５を設けている。
【００３８】
このような凸部５１は、例えば、簡易なプレス加工手段によって、これを形成できるので、製造上、特殊な金型を使用する必要がなく、抜止部５を容易に形成できる。
【００３９】
また、図例のように、凸部５１の先端を半球状に形成すれば、取付部材２の一片２１をスムーズに嵌入できる。
【００４０】
ここで、図４（ａ）〜（ｄ）は、抜止部５の他の実施例を示した概略図であり、例えば、図４（ａ）は、凸部５１を、図１のものと対面する位置に形成したもの、図４（ｂ）は、凸部５１を複数形成したもの、図４（ｃ）は、凸部５１の開放側から閉止側に向けて、徐々に狭くなる傾斜を形成したものであるが、これらの凸部５１のように形成しても良い。
【００４１】
また、抜止部５としては、図４（ｄ）に示すように、凸部５１を形成することなく、スリット開口１４の開放側から閉止側に向けて、徐々に狭くなるテーパー状に上記スリット開口１４を形成しても良く、このようなテーパー状の抜止部５によれば、取付部材２の一片２１をスムーズに嵌入して、パネル受部材１の不用意な起立を確実に防止できる。
【００４２】
また、パネル受部材１には、取付部材２の連結端の角部２１ａを貫通させる切欠逃し溝部１６を形成しており、これによって、取付部材２とパネル受部材１とを起立又は折畳可能にしている。
【００４３】
さらにまた、長孔１３の長手方向に沿って、パネル受部材１の高さ位置が識別可能な目盛等の目印部１７を形成しても良く、このような目印部１７を形成することで、例えば、施工組立状態に起立されたパネル受部材１の高さ位置を、容易に識別でき、施工作業が軽減される。
【００４４】
取付部材２は、屋根材Ｙに固定可能であって、且つ、パネル受部材１に折畳可能な形状であれば良いが、本実施例では、一片２１と固定片２２からなるＬ型アングル材を例示している。
【００４５】
この取付部材２の固定片２２には、屋根材Ｙにボルト等の固定具Ｋを挿通するための複数の取付孔２３を適所に形成している。
【００４６】
また、取付部材２の一片２１の軒先或いはケラバ側には、パネル受部材１の長孔１３に重合され、且つ、連結具３が挿通される軸孔２４を形成している。
【００４７】
このように形成されたパネル受部材１の長孔１３と、取付部材２の軸孔２４を重合し、これに連結具３のボルトを貫通したうえで、ナットを螺合すれば、パネル受部材１と取付部材２を、図３で示すような仮組み状態に連結できる。
【００４８】
そのため、この仮組み状態では、パネル受部材１は、連結具３を軸中心にして図中の矢印に示すように回転させることができ、パネル受部材１と取付部材２とが、連結具３を介して施工組立状態に起立し、かつ梱包収納状態に折畳可能となる。
【００４９】
図５（ａ）、（ｂ）及び図６（ｃ）は、本発明に係る屋根化粧パネル取付金具Ａの要部の動作状態を説明した部分拡大図である。
【００５０】
上述のように形成された屋根化粧パネル取付金具Ａは、以下の要領で動作する。
【００５１】
すなわち、図５（ａ）、（ｂ）で示すように、パネル受部材１を起立した状態から、その一端を押して図中矢印で示すように倒し込めば、パネル受部材１は、その角部２１ａを切欠逃し溝部１６に貫通すると共に、連結具３を軸中心に回転しながら折畳まれる。
【００５２】
そして、スリット開口１４に、取付部材１の一片２１が嵌り込まれるが、このとき、一片２１は、スリット開口１４の抜止部５によって窮屈にされるので、これを押圧しながら更に押し込むことで、図６（ｃ）に示すように、パネル受部材１を梱包収納状態に折畳んでコンパクトに収納するのである。
【００５３】
このように、本発明の屋根化粧パネル取付金具Ａによれば、パネル受部材１の梱包収納状態では、できる限りコンパクトに収納できる。
【００５４】
さらに、スリット開口１４には抜止部５を設けているので、梱包収納状態に折畳された後は、パネル受部材１の不用意な起立を確実に防止でき、輸送中などにガタツキが生じないため、連結具３の弛み又はナット等の外れが防止できる。
【００５５】
図７（ａ）、（ｂ）は、本発明に係る取付部材２の他の実施例を示す部分説明図である。
【００５６】
なお、図２〜図６で示された部位と共通する部位には、共通の番号を付し、その説明は省略する。
【００５７】
すなわち、これらの取付部材２は、その連結端の角部、つまり軸孔２４側に位置される一片２１の角部を切り欠いて、切欠逃し部２６を形成している。
【００５８】
この切欠逃し部２６は、パネル受部材１を回転させたときに取付部材２に引っ掛からないように、例えば、図７（ａ）、（ｂ）に示すように、取付部材２の角部を切り欠いたものであれば良い。
【００５９】
これらの取付部材２では、図２〜図６で示した切欠逃し溝部１６を形成しなくても良く、取付部材２とパネル受部材１とを、図５（ａ）、（ｂ）及び図６（ｃ）と同様の動作によって起立又は折畳可能にできる。
【００６０】
図８は、本発明に係る屋根化粧パネル取付金具Ａの他の実施例を示す分解斜視図、図９（ａ）、（ｂ）及び図１０（ｃ）、（ｄ）は、図８の要部の動作状態を説明した部分拡大図である。
【００６１】
この屋根化粧パネル取付金具Ａは、取付部材２、パネル受部材１のいずれか一方には、それぞれに対する他方の部材を遠ざける位置に移動せるための逃がし孔１５を、軸孔２４又は長孔１３に連設しており、これによって、取付部材２とパネル受部材１とを折畳可能にしている。
【００６２】
ここでは、図７で示された切欠逃し部２６に代えて、取付部材２の軸孔２４に連設された逃がし孔１５を形成したものを例示しているが、上記切欠逃し部２６に加えて形成しても良い。
【００６３】
このような屋根化粧パネル取付金具Ａでは、図９（ａ）で示すように、パネル受部材１を起立した状態から、一端を押して図中矢印で示すように、そのまま倒し込めば、パネル受部材１の角部２１ａが、パネル受部材１の内面に当接して、その回転が規制されてしまう。
【００６４】
そのため、図９（ｂ）で示すように、取付部材２を図のように引き出すなどして、連結具３を、軸孔２４の位置から逃がし孔１５の位置に移動させたうえで、パネル受部材１を回転させて、図１０（ｃ）に示すように、これを倒し込む。
【００６５】
そして、上記同様、スリット開口１４に、取付部材１の一片２１が嵌り込まれるが、このとき、一片２１は、スリット開口１４の抜止部５によって窮屈にされるので、これを押圧しながら更に押し込むことで、図１０（ｄ）に示すように、パネル受部材１を梱包収納状態に折畳んでコンパクトに収納するのである。
【００６６】
このように、本発明の屋根化粧パネル取付金具Ａによれば、取付部材とパネル受部材とを遠ざける位置に移動可能な構造にしており、このような構造にすることによってパネル受部材と取付部材を起立又は折畳可能にできる。
【００６７】
なお、図１１は、取付部材２の軸孔２４に連設された逃がし孔１５の様々な態様例を示した概略図であり、これらのような逃がし孔１５を形成しても同様の効果を得る。
【００６８】
また、図１２（ａ）〜（ｈ）は、パネル受部材１に逃がし孔１５を設けた場合の様々な態様を示す概略正面図である。
【００６９】
ここでは、パネル受部材１の長孔１３に、連結具３が移動される逃がし孔１５を形成したものである。
【００７０】
これらのパネル受部材１には、何れも長孔１３に貫通される連結具３の軸心を移動できるような逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００７１】
なお、逃がし孔１５は、軸孔２４及び長孔１３の両方に形成しても勿論構わない。
【発明の効果】
本発明によれば、次のような効果がある。
【００７２】
請求項１に係る屋根化粧パネル取付金具によれば、パネル受部材又は取付部材の一方に長孔を形成すると共に、他方に軸孔を形成し、これらを連結具で結合することで、上記パネル受部材と上記取付部材とを施工組立状態に起立し、かつ梱包収納状態に折畳可能に連結される構造にできる。
【００７３】
また、梱包収納状態では、スリット開口に取付部材の一片が嵌入されて折畳可能な構造にしているので、できる限りコンパクトに収納できる。
【００７４】
さらに、スリット開口には抜止部を設けているので、梱包収納状態に折畳された後は、パネル受部材の不用意な起立を確実に防止できる。
【００７５】
請求項２に係る屋根化粧パネル取付金具によれば、スリット開口の内側に向けて突設された凸部を形成して、抜止部を設けているので、製造上、特殊な金型を使用する必要がなく抜止部を容易に形成できる。
【００７６】
請求項３に係る屋根化粧パネル取付金具によれば、請求項２における凸部の先端を半球状に形成しているので、取付部材の一片をスムーズに嵌入できる。
【００７７】
請求項４に係る屋根化粧パネル取付金具によれば、取付部材の一片をスムーズに嵌入して、パネル受部材の不用意な起立を確実に防止できる。
【００７８】
請求項５に係る屋根化粧パネル取付金具によれば、取付部材に切欠逃し部を形成して、パネル受部材と取付部材を起立又は折畳可能な構造にすることによって、パネル受部材と取付部材を起立又は折畳可能にできる。
【００７９】
請求項６に係る屋根化粧パネル取付金具によれば、軸孔又は長孔に連設される逃がし孔を形成して、取付部材とパネル受部材とを遠ざける位置に移動可能な構造にすることによって、パネル受部材と取付部材を起立又は折畳可能にできる。
【００８０】
請求項７に係る屋根化粧パネル取付金具によれば、取付部材の連結端の角部が、パネル受部材の切欠逃し溝部を貫通する構造にすることによって、パネル受部材と取付部材を起立又は折畳可能にできる。
【００８１】
請求項８に係る屋根化粧パネル取付金具によれば、目印部を形成することで、例えば、施工組立状態に起立された上記パネル受部材の高さ位置を、容易に識別できる。
【図面の簡単な説明】
【図１】本発明に係る屋根化粧パネル取付金具Ａの一実施例を示す使用状態図
【図２】本発明に係る屋根化粧パネル取付金具Ａの一実施例を示す分解斜視図
【図３】図２の折畳状態を示す斜視図
【図４】（ａ）〜（ｄ）は、抜止部５の他の実施例を示した概略図
【図５】（ａ）、（ｂ）は、本発明に係る屋根化粧パネル取付金具Ａの要部の動作状態を説明した部分拡大図
【図６】（ｃ）は、本発明に係る屋根化粧パネル取付金具Ａの要部の動作状態を説明した部分拡大図
【図７】（ａ）、（ｂ）は、本発明に係る取付部材２の他の実施例を示す部分説明図
【図８】本発明に係る屋根化粧パネル取付金具Ａの他の実施例を示す分解斜視図
【図９】（ａ）、（ｂ）は、図８の要部の動作状態を説明した部分拡大図
【図１０】（ｃ）、（ｄ）は、図８の要部の動作状態を説明した部分拡大図
【図１１】取付部材の軸孔に連設された逃がし孔の様々な態様例を示した概略図
【図１２】（ａ）〜（ｈ）は、パネル受部材に逃がし孔を設けた場合の様々な態様を示す概略正面図
【符号の説明】
Ａ      屋根化粧パネル取付金具
Ｐ      屋根化粧パネル
Ｐ１    上、下折縁
Ｙ      屋根材
１      パネル受部材
１１    受止折曲片
１２ａ  側縁
１３    長孔
１４    スリット開口
１５    逃がし孔
１６    切欠逃し溝部
２      取付部材
２１    一片
２１ａ  角部
２４    軸孔
２５    係止部
３      連結具
５      抜止部
５１    凸部
【図１】
0003576157.tif 000002
【図２】
0003576157.tif 000003
【図３】
0003576157.tif 000004
【図４】
0003576157.tif 000005
【図５】
0003576157.tif 000006
【図６】
0003576157.tif 000007
【図７】
0003576157.tif 000008
【図８】
0003576157.tif 000009
【図９】
0003576157.tif 000010
【図１０】
0003576157.tif 000011
【図１１】
0003576157.tif 000012
【図１２】
0003576157.tif 000013